(57)【要約】【課題】  日除けカーテンにおいて、煩雑な取り付け作業を不要としつつ、カーテン布地の所定位置を簡便に吊り下げることができるようにする。【解決手段】  カーテン布地６の中間部に、中間部支持手段１３をカーテンレール４と交差方向に所定間隔で配設し、中間部支持手段１３の両端をカーテンレール４の中間ランナ１４に連結する。中間部支持手段１３は位置決め部材２０とカーテン支持部材２２とを備える。位置決め部材２０を雄型に形成する。位置決め部材２０としてスライドファスナのファスナストリンガーを用いる。カーテン支持部材２２を雌型に形成する。カーテン支持部材２２と位置決め部材２０との嵌合により、カーテン布地６をカーテンレール４に着脱自在に取り付ける。【選択図】  図1
2009201802.tif 000002
【特許請求の範囲】
【請求項１】
天窓の両側に対向配置した一対のカーテンレールの間にカーテン布地を配設して、該カーテン布地の中間部に複数の中間部支持手段を前記カーテンレールと交差方向に所定間隔で配設し、該中間部支持手段の両端を前記カーテンレールに移動可能に設けられた複数の中間ランナに連結し、前記カーテン布地を前記天窓の下側で開閉するようになした日除けカーテンの中間部支持構造において、
前記中間部支持手段が、前記カーテン布地に所定間隔をおいて前記カーテンレールと交差方向に固着される複数の位置決め部材と、
前記カーテンレールと交差方向に配設され、両端部を前記中間ランナに支持される複数のカーテン支持部材とを備え、
該カーテン支持部材と前記位置決め部材のいずれか一方を、シート状体と該シート状体の先端に連続する突条とをカーテンレールと交差方向に配設した雄型に形成し、
他方を前記突条を内部空間に収容する筒体の一側部に、前記シート状体を収容するスリットを開設した雌型に形成し、
前記カーテン支持部材と前記位置決め部材との雄雌嵌合により、前記カーテン布地を前記カーテンレールに着脱自在に取り付ける
ことを特徴とする日除けカーテンの中間部支持構造。
【請求項２】
前記位置決め部材が、スライドファスナのファスナストリンガーである
ことを特徴とする請求項１に記載の日除けカーテンの中間部支持構造。 
【発明の詳細な説明】
【技術分野】
【０００１】
本発明は、建屋やサンルーム，バルコニー，パーゴラ，テラス囲い等の屋根や天井に設けられた天窓の内側に日除けを主目的に設けられる日除けカーテンに係り、詳しくはこれに用いるカーテン布地の着脱を簡便に行えるようにした日除けカーテンの中間部支持構造に関する。
【背景技術】
【０００２】
建屋やサンルーム等の屋根や天井に設けられる透明な天窓にあっては、その内側に開閉可能な日除けカーテンを設けて、日射量や採光量を調節できるようにしている。
この日除けカーテンは、天窓を挟んでその下側に一対のカーテンレールを対向配置し、該カーテンレールの間にカーテン布地を配設して、該カーテン布地の両側縁適所をカーテンレールに移動可能に支持される複数のランナに吊り具を介して係着し、該ランナの案内によりカーテン布地を開閉するようにしたもので、カーテン布地は等間隔に設けられたの中間部支持構造によって前記ランナに支持されている。
【０００３】
上記の中間部支持構造として、天井近傍に傾斜して設けられた一対のカーテンレール内を移動する先頭ランナを有する先頭バーと、当該先頭バーに挿着されるカーテン用バー係止具に着脱自在に係止されるカーテン用バーと、前記カーテンレール内を移動する一対の中間ランナに着脱自在に係止されるカーテン用バーとからなり、端部が着脱自在に係止されたカーテン布地を前記カーテン用バーにそれぞれ着脱自在に係止すると共に、前記先頭バーに挿着される先頭ランナ保持部材にスプリングを設けて前記先頭ランナを前記カーテンレールに常時押圧して、前記先頭バーをカーテンレールの任意の位置で係止し、前記カーテン用バーは断面Ｃ字状の形状を有し、該カーテン用バーと、このカーテン用バー内部にカーテン布地を一巻きした状態で挿入する大きさを有するロッドとで支持手段を構成した技術が提案されており、かかる構成により、カーテン布地を季節に応じて取り替えたり、簡単に取り外して洗濯することができるとしている（例えば、特許文献１参照）。
【０００４】
【特許文献１】特許第２９９８１２６号公報
【発明の開示】
【発明が解決しようとする課題】
【０００５】
上述のように、特許文献１では、支持手段のカーテン用バーとロッドとの嵌合によってカーテン布地が等間隔に支持される。カーテン用バーからロッドを引き抜いてカーテン布地を取り外した場合に、取り外ししたカーテン布地には、カーテン用バーとロッドとの嵌合による巻き付け跡が皺や汚れが目印として残されるが、洗濯後のカーテン布地ではこの巻き付け跡が消されてしまい、カーテン用バーとロッドとをカーテン布地の所定の吊り下げ位置に組み合わせることができない。
このような不具合はカーテン布地を新規なものに交換した場合も同様で、そのまま不均等な吊り下げを我慢するか、あるいは手間暇をかけて再組み付けをするかを選択を余儀なくされていた。
【０００６】
さらに、カーテン布地にカーテン用バーとロッドとを再組み付けする場合に、カーテン布地をロッドに巻いた状態を指で保持しながら、ロッドをカーテン用バーの端部からその内部へ差し込むため、カーテン布地がカーテン用バーの端部に当接してずれたり差し込みできないことも多く、組み付け作業を一層繁雑なものにしていた。
本発明は、かかる実情を背景にしてなされたもので、その目的とするところは、上記した特許文献１のような煩雑な取り付け作業を不要としつつも、カーテン布地の所定位置を簡便に吊り下げることのできる日除けカーテンの中間部支持構造を提供することにある。
【課題を解決するための手段】
【０００７】
本発明は、天窓の両側に対向配置した一対のカーテンレールの間にカーテン布地を配設して、該カーテン布地の中間部に複数の中間部支持手段を前記カーテンレールと交差方向に所定間隔で配設し、該中間部支持手段の両端を前記カーテンレールに移動可能に設けられた複数の中間ランナに連結し、前記カーテン布地を前記天窓の下側で開閉するようになした日除けカーテンの中間部支持構造において、前記中間部支持手段が、前記カーテン布地に所定間隔をおいて前記カーテンレールと交差方向に固着される複数の位置決め部材と、前記カーテンレールと交差方向に配設され、両端部を前記中間ランナに支持される複数のカーテン支持部材とを備え、該カーテン支持部材と前記位置決め部材のいずれか一方を、シート状体と該シート状体の先端に連続する突条とをカーテンレールと交差方向に配設した雄型に形成し、他方を前記突条を内部空間に収容する筒体の一側部に、前記シート状体を収容するスリットを開設した雌型に形成し、前記カーテン支持部材と前記位置決め部材との雄雌嵌合により、前記カーテン布地を前記カーテンレールに着脱自在に取り付けることを特徴としている。
【０００８】
本発明は、位置決め部材とカーテン支持部材の端部から、筒体の内部に突条を、また筒体のスリットにシート状体をそれぞれ抜き差しして、位置決め部材とカーテン支持部材とを係脱することにより、カーテン布地を吊り下げまたは取り外しする。したがって、筒体の少なくとも一方の端部は解放しておく必要があるが、他方の端部は解放または閉塞のいずれであってもよい。
また、雄部材と雌部材とは互いに凹凸嵌合すればよく、いずれを位置決め部材とカーテン支持部材に設けてもよい。
【０００９】
また、本発明の他の特徴として、位置決め部材にスライドファスナのファスナストリンガーを用いることができる。ファスナストリンガーは、カーテン布地の両端を除く中間部の所定間隔（吊り下げ位置）にファスナテープを縫い付けや接着テープ，接着剤等を用いて固着される。この場合に、位置決め部材をファスナストリンガーとした場合には、ファスナストリンガー本発明の雄部材を持つこととなり、ファスナストリンガーのテープが本発明にシート状体に相当し、またファスナストリンガーのエレメントが本発明の突条に相当する。
【発明の効果】
【００１０】
本発明によれば、中間部支持手段の位置決め部材とカーテン支持部材とを分解してカーテン布地を取り外した場合にも、カーテン布地の吊り下げ位置である所定箇所のそれぞれに中間部支持手段の位置決め部材が固着されているため、再組み付けが容易である。
また、カーテン布地の位置決め部材にカーテン支持部材を凹凸嵌合する場合に、引用文献１のようにカーテン布地を巻き付ける必要がないので、組み付け作業に煩わしさがない。
さらに、スライドファスナのファスナストリンガーは、本発明の位置決め部材の形状そのものであり、この位置決め部材にファスナストリンガーを用いることにより、位置決め部材のための新たな設計や製作を不要にできて、低コストでの提供が可能となる。
【発明を実施するための最良の形態】
【００１１】
以下、本発明に係る日除けカーテンの中間部支持構造の一実施例を図面に基づいて説明する。
図中、図１は中間部支持手段の分解斜視図、図２はオープンテラスの概略を示す斜視図、図３は日除けカーテンの断面側面図、図４は図１の要部拡大図である。
【００１２】
図２は、建屋の外壁に付設されたオープンテラス１を示しており、該オープンテラス１の屋根組にアクリル樹脂等からなる透明な屋根材を組み付けてオープンテラスの屋根全体を天窓２としており、該天窓２の下側で建屋からオープンテラス１の外方向へ下り勾配に設けられた複数の天井フレーム３の間には、３つの日除けカーテン４が傾斜面に沿って配設されている。
【００１３】
各日除けカーテン４は、相隣る天井フレーム３，３に付設された一対のカーテンレール５，５の間に帯状のカーテン布地６が開閉可能に配設されている。
カーテン布地６は、建屋側の基端をカーテンレール５，５に係止リング７及びフック８とあて布９とを介して係止され、オープンテラス外側に位置する先端側をカーテンレール５，５内の先頭ランナ１０と一体の先頭バー１１に先端側支持手段１２を介して係着されている。
また、カーテン布地６の中間部には複数の中間部支持手段１３が等間隔に設けられ、該中間部支持手段１３の両端がカーテンレール５，５内の中間ランナ１４に支持されていて、前記先頭バー１１を移動することにより、カーテン布地６がカーテンレール５，５に沿って開閉されるようになっている。
【００１４】
先端側支持手段１２と中間部支持手段１３のそれぞれは、カーテン布地６に所定間隔をおいてカーテンレール４と交差方向に固着される複数の位置決め部材２０と、カーテンレール４と交差方向に配設され、且つ両端部を前記中間ランナ１４にエンドピース２１を介して連結される複数のカーテン支持部材２２とからなっている。
【００１５】
一方の位置決め部材２０は、シート状体２３ａと該シート状体２３ａの一側縁に連続する突条２３ｂとからなる雄型に形成され、他方のカーテン支持部材２２は、位置決め部材２０の突条２３ｂを内部空間２４に収容する筒体２５の一側部に、位置決め部材２０のシート状体２３ａを収容するスリット２６を開設した断面Ｃ字状の雌型に形成されており、筒体２５の両端は着脱可能な有底円筒状のエンドピース２１（一方は図示せず）にて閉塞されている。
【００１６】
位置決め部材２０には、既製品であるスライドファスナのファスナストリンガーが用いられており、このファスナストリンガーを構成するファスナテープを前述のシート状体２３ａとなし、ファスナテープの一側縁に断続するエレメント列を前述の突条２３ｂとなしており、シート状体２３ａの他側縁側裏面をカーテン布地６の所定位置に接着剤２７で接合して、位置決め部材２０がカーテンレール４と交差方向（カーテン布地６の幅方向）に固着される。
【００１７】
前記エンドピース２１は、一側面長手方向に幅広の溝３０を開設した円筒状の本体２１ａと、該本体２１ａの前記溝３０とは反対側に突出する係止リング２１ｂと、本体２１ａの一端部外周に付設されるフランジ２１ｃと、該フランジ２１ｃに支軸（図示せず）にて支持され、フランジ２１ｃの外側面を開閉自在に覆う板状の蓋体３１とからなっている。
【００１８】
エンドピース２１は、溝３０をカーテン支持部材２２のスリット２６に合致させながら、本体２１ａをカーテン支持部材２２の筒体２５の端部に弾性力をもって外挿され、一方のエンドピース２１の蓋体３１をフランジ２１ｃの外側面に沿って本体２１ａの軸線と交差方向に回動することにより、エンドピース２１の本体２１ａとカーテン支持部材２２の筒体２５の一端部を開口させ、その開口より筒体２５の内部空間２４に位置決め部材２０の突条２３ｂを差し込み、同時に筒体２５のスリット２６にシート状体２３ａの一側縁側を差し込んでいく。
そして、位置決め部材２０の突条２３ｂとシート状体２３ａの全体をカーテン支持部材２２の筒体２５とスリット２６に収容したのち、エンドピース２１の蓋体３１を戻してエンドピース２１の本体２１ａとカーテン支持部材２２の筒体２５の一端部を閉塞することにより、位置決め部材２０とカーテン支持部材２２とが連結される。
【００１９】
位置決め部材２０を連結したカーテン支持部材２２は、エンドピース２１の係止リング２１ｂを中間ランナ１４の係止リング１４ａに係着することにより、カーテン布地６の中間部が所定箇所を複数の中間ランナ１４によって吊持され、またカーテン布地６の先端側支持手段１２も同様にして先頭バー１１に吊持される。
【００２０】
カーテン布地６は、このようにしてカーテンレール４，４に取り付けられ、先頭バー１１の移動によって開閉される。
また、カーテン布地６を洗濯したり、他の色柄のものに交換する場合には、先端側支持手段１２と中間部支持手段１３の各筒体２５の端部に外挿したいずれか一方のエンドピース２１の蓋体３１を回動して、内部空間２４とスリット２６の一端を開口し、この開口から突条２３ｂとシート状体２３ａを引き出して、位置決め部材２０とカーテン支持部材２２とを分離することにより、カーテン布地６が取り外される。
カーテン布地６の洗濯は、カーテン布地６に位置決め部材２０が付いたまま行われ、洗濯後に乾燥及びアイロンがけをしたカーテン布地６は、所定位置の位置決め部材２０をカーテン支持部材２２に再組み付けしてカーテンレール４，４に取り付けられるので、中間部を等間隔で簡便に吊り下げ支持することができ、見た目も美麗である。
【図面の簡単な説明】
【００２１】
【図１】本発明の一実施例を示す日除けカーテンの中間部支持手段の分解斜視図である。
【図２】本発明の一実施例を示すオープンテラスの概略を示す斜視図である。
【図３】本発明の一実施例を示す日除けカーテンの断面側面図である。
【図４】本発明の一実施例を示す日除けカーテンの図１の要部拡大図である。
【符号の説明】
【００２２】
１…オープンテラス
２…天窓
３…天井フレーム
４…日除けカーテン
５…カーテンレール
６…カーテン布地
１０…先頭ランナ
１１…先頭バー
１２…先端側支持手段
１３…中間部支持手段
１４…中間ランナ
２０…位置決め部材（スライドファスナのファスナストリンガー）
２１…エンドピース
２２…カーテン支持部材
２３ａ…シート状体
２３ｂ…突条
２４…内部空間
２５…筒体
２６…スリット
２７…接着剤
【図１】
2009201802.tif 000003
【図２】
2009201802.tif 000004
【図３】
2009201802.tif 000005
【図４】
2009201802.tif 000006